(57)【要約】【課題】発光管のうち副反射面に覆われた部分の効率的な冷却を可能とする光源装置を提供すること。【解決手段】本発明の光源装置１０は、内部を封止する封体１６を備え、光を射出する発光管１１と、中心軸を中心として所定の曲線を回転させることにより得られる回転曲面を、中心軸を含む平面で切断することにより得られる曲面と略同じ形状をなして発光部から射出した光を反射させる主反射面１２ａを備える反射鏡と、封体の一部を覆って発光管から射出した光を主反射面に向けて反射させる副反射面１７が形成された覆い部１３ａと、覆い部に隣接して一体に形成された周囲部１３ｂとを備えるベース１３と、を有し、ベースは、発光管の封体よりも高い熱伝導率の材料で構成されている。【選択図】図２
2010192282.tif 000002
【特許請求の範囲】
【請求項１】
内部を封止する封体を備え、光を射出する発光管と、
中心軸を中心として所定の曲線を回転させることにより得られる回転曲面を、所定の平面で切断することにより得られる曲面と略同じ形状をなして前記発光管から射出した光を反射させる主反射面を備える反射鏡と、
前記封体の一部を覆って前記発光管から射出した光を前記主反射面に向けて反射させる副反射面が形成された覆い部と、前記覆い部に隣接して一体に形成された周囲部とを備えるベースと、を有し、
前記ベースは、前記発光管の封体よりも高い熱伝導率の材料で構成されていることを特徴とする光源装置。
【請求項２】
前記ベースのうち前記発光管側の面と反対の面は、凹凸面であることを特徴とする請求項１に記載の光源装置。
【請求項３】
前記ベースのうち前記発光管側の面と反対の面に取り付けられ、内部に液体を通過させて前記ベースからの熱を前記液体に吸熱させる液冷ジャケットをさらに有することを特徴とする請求項１に記載の光源装置。
【請求項４】
前記ベースのうち前記発光管側の面と反対の面に取り付けられたペルチェ素子をさらに有することを特徴とする請求項１に記載の光源装置。
【請求項５】
前記ペルチェ素子からの熱を放熱させる放熱手段をさらに有することを特徴とする請求項４に記載の光源装置。
【請求項６】
前記放熱手段は、ヒートシンクであることを特徴とする請求項５に記載の光源装置。
【請求項７】
前記放熱手段は、内部に液体を通過させて前記ペルチェ素子からの熱を前記液体に吸熱させる液冷ジャケットであることを特徴とする請求項５に記載の光源装置。
【請求項８】
前記ベースのうち前記発光管側の面と反対の面は、平坦面であることを特徴とする請求項３〜７のいずれか１つに記載の光源装置。
【請求項９】
請求項１〜８のいずれか１つに記載の光源装置と、
前記光源装置から射出した光を画像信号に応じて変調する空間光変調装置と、を有することを特徴とするプロジェクター。
【発明の詳細な説明】
【技術分野】
【０００１】
本発明は、光源装置およびプロジェクター、特にリフレクターを有する光源装置の技術に関する。
【背景技術】
【０００２】
プロジェクターの光源として使用されるランプ、例えば超高圧水銀ランプ等の放電ランプには、発光管から射出した光を反射させるリフレクター（反射鏡）が用いられている。プロジェクターにより効率良く明るい画像を得るために、従来、発光管から射出した光の利用効率を高めるための光源装置の構成が提案されている。例えば、主反射面を備えるリフレクターとは別に、発光管の一部を覆う副反射面を備えた副反射鏡を、発光管の近傍に設ける技術が提案されている（例えば、特許文献１参照）。副反射面で反射した光は、発光管を通過した後、主反射面に入射して前側へ向けて反射する。これにより、光源装置からの光を利用する光学系へ、発光管から射出した光を効率良く進行させることが可能となる。
【先行技術文献】
【特許文献】
【０００３】
【特許文献１】特開２００１−１０９０６８号公報
【発明の概要】
【発明が解決しようとする課題】
【０００４】
プロジェクターに用いられるランプは、供給された電気エネルギーの多くが熱となり高温となることから、冷却風などによる冷却が必要となる。副反射鏡を備える構成の場合、発光部表面のうち副反射面により覆われる部分は、冷却風が届きにくいため、冷却が不十分となる場合がある。
【０００５】
プロジェクターは、例えば、正立状態での使用と倒立状態での使用が可能とされる場合がある。プロジェクターの使用状態が変化すれば、光源装置の姿勢も変化し、それに伴い、発光管と副反射鏡との位置関係も変化する。特に、発光管の上側が副反射鏡に覆われる場合には、発光管と副反射面の間に熱がこもりやすくなり、冷却が不十分になりやすい。発光管のうち冷却が不十分な部分は、発光管を構成する透明部材が熱により結晶化し、白濁する場合が生じ得る。
【０００６】
本発明は、上述の問題に鑑みてなされたものであり、発光管のうち副反射面に覆われた部分の効率的な冷却を可能とする光源装置、及びその光源装置を有するプロジェクターを提供することを目的とする。
【課題を解決するための手段】
【０００７】
上述した課題を解決し、目的を達成するために、本発明は、内部を封止する封体を備え、光を射出する発光管と、中心軸を中心として所定の曲線を回転させることにより得られる回転曲面を、所定の平面で切断することにより得られる曲面と略同じ形状をなして発光管から射出した光を反射させる主反射面を備える反射鏡と、封体の一部を覆って発光管から射出した光を主反射面に向けて反射させる副反射面が形成された覆い部と、覆い部に隣接して一体に形成された周囲部とを備えるベースと、を有し、ベースは、発光管の封体よりも高い熱伝導率の材料で構成されていることを特徴とする。
【０００８】
発光管の封体よりも高い熱伝導率の材料でベースが構成され、覆い部に隣接して周囲部が一体に形成されているので、覆い部の熱は周囲部に拡散しやすくなる。覆い部は、発光管で発生する熱によって温度が上昇するが、その熱は周囲部に拡散する。すなわち、ベースは、発光管で発生した熱を放熱させて発光管を冷却させるヒートシンクとして機能する。特に、熱の拡散により覆い部の温度が低下することで、発光管のうち副反射面に覆われた部分を、覆い部からの輻射や対流により効率的に冷却することが可能となる。これにより、発光管の劣化を防ぐことができる。
【０００９】
また、本発明の好ましい態様としては、ベースのうち発光管側の面と反対の面は、凹凸面であることが望ましい。ベースのうち発光管側の面と反対の面が凹凸面であるので、放熱面積を増やして、ベースのヒートシンクとしての機能を高めることができる。これにより、より効率的な発光管の冷却が可能となる。
【００１０】
また、本発明の好ましい態様としては、ベースのうち発光管側の面と反対の面に取り付けられ、内部に液体を通過させてベースからの熱を液体に吸熱させる液冷ジャケットをさらに有することが望ましい。ベースからの熱を液体に吸熱させる液冷ジャケットによって、ベースを強制的に冷却することができ、より一層効率的な発光管の冷却が可能となる。
【００１１】
また、本発明の好ましい態様としては、ベースのうち発光管側の面と反対の面に取り付けられたペルチェ素子をさらに有することが望ましい。ペルチェ素子は、電流を流すことで、一方の面と他方の面との間に温度差が生じる。低温となる面をベースと接するように取り付けることで、ベースを強制的に冷却することができ、より一層効率的な発光管の冷却が可能となる。
【００１２】
また、本発明の好ましい態様としては、ペルチェ素子からの熱を放熱させる放熱手段をさらに有することが望ましい。ペルチェ素子のうち、高温となる面に放熱手段を設ければ、ペルチェ素子がベースから吸熱した熱を、放熱手段に吸熱させて効率的に放熱させることができる。これにより、ペルチェ素子の冷却能力の低下を抑えて、発光管の安定的な冷却を実現することができる。
【００１３】
また、本発明の好ましい態様としては、放熱手段は、ヒートシンクであることが望ましい。ペルチェ素子がベースから吸熱した熱を、ヒートシンクに吸熱させて効率的に放熱させることができる。
【００１４】
また、本発明の好ましい態様としては、放熱手段は、内部に液体を通過させてペルチェ素子からの熱を液体に吸熱させる液冷ジャケットであることが望ましい。液冷ジャケットにより、ペルチェ素子がベースから吸熱した熱を、液体に吸熱させて、効率的に放熱することができる。
【００１５】
また、本発明の好ましい態様としては、ベースのうち発光管側の面と反対の面は、平坦面であることが望ましい。ベースのうち発光管側の面と反対の面が平坦面であるので、放熱手段をベースに取り付けやすくすることができる。
【００１６】
本発明に係るプロジェクターは、上記光源装置と、光源装置から射出した光を画像信号に応じて変調する空間光変調装置と、を有することを特徴とする。上記の光源装置を用いることで、発光管を効率的に冷却することができ、発光管の劣化を低減できる。これにより、信頼性の高いプロジェクターを得られる。
【図面の簡単な説明】
【００１７】
【図１】本発明の実施例１に係る光源装置の概略構成を示す外観斜視図である。
【図２】光源装置の横断面図である。
【図３】ベースの外観斜視図である。
【図４】本発明の実施例２に係る光源装置の概略構成を示す図である。
【図５】本実施例２の変形例１に係る光源装置の概略構成を示す図である。
【図６】本実施例２の変形例２に係る光源装置の概略構成を示す図である。
【図７】本発明の実施例３に係るプロジェクターの概略構成を示す図である。
【発明を実施するための形態】
【００１８】
以下に図面を参照して、本発明の実施例を詳細に説明する。
【実施例１】
【００１９】
図１は、本発明の実施例１に係る光源装置１０の概略構成を示す外観斜視図である。図２は、図１に示す光源装置１０の横断面図である。なお、本願の実施例の説明において、光源装置１０からの光の射出方向に沿う軸をＺ軸とする。Ｚ軸と直交し互いに垂直に交わる軸をＸ軸及びＹ軸とする。また、各軸の矢印方向を正の方向とし、その逆方向を負の方向とする。発光管１１は、例えば、超高圧水銀ランプである。発光管１１の内部は封体１６によって封止されている。封体１６は、例えば石英部材が用いられる。封体１６のうち、前方封止部１６ａと後方封止部１６ｂに挟まれた球状部分は、光を射出する発光部１５である。発光部１５の内部には、一対の電極が配置される放電空間が形成されている。前方封止部１６ａは、発光管１１のうち、発光部１５に対して前側に設けられた円筒形状の部分である。後方封止部１６ｂは、発光管１１のうち、発光部１５に対して後側に設けられた円筒形状の部分である。なお、「前側」とは、光源装置１０からの光の射出側をいうものとし、「後側」とは、発光部に対して前側とは反対の側をいうものとする。
【００２０】
主反射鏡１２は、発光部１５から射出した光を反射させ、前側へ進行させる主反射面１２ａを備える。主反射面１２ａは、中心軸ＡＸを中心として楕円を回転させることにより得られる回転楕円面を、所定の平面で切断することにより得られる曲面と略同じ形状をなす。発光管１１は、中心軸ＡＸ上に配置されている。本実施例では、所定の平面とは、中心軸ＡＸを含む平面である。なお、所定の平面は、光の利用効率を上げるために、中心軸ＡＸを含む平面以外の面としても良い。所定の平面は、例えば、中心軸ＡＸに平行な平面や、中心軸ＡＸに対して角度を持たせた平面であっても良い。
【００２１】
主反射鏡１２は、主反射面１２ａを備えた所望の形状に成形された基材の表面に高反射性部材、例えば誘電体多層膜や金属部材を蒸着させることにより構成されている。高反射性部材は、可視領域の波長の光について高い反射率である部材を用いる。回転楕円面を切断した形状の主反射鏡１２を用いることにより、光源装置１０は、薄型な構成とすることができる。なお、主反射鏡１２が備える主反射面１２ａの形状は、回転楕円面を切断することにより得られる曲面と略同じ形状に限られない。例えば、放物線などの所定の曲線を回転させることにより得られる回転曲面を切断することにより得られる曲面と略同じ形状や、自由曲面形状などとしても良い。
【００２２】
図３は、ベース１３の外観斜視図である。ベース１３は、発光管１１を挟んで主反射面１２ａの反対側に配置されている。ベース１３は、覆い部１３ａと周囲部１３ｂとが一体に形成されて構成されている。覆い部１３ａには、発光部１５から射出した光を主反射面１２ａに向けて反射させる副反射面１７が形成されている。副反射面１７は、発光部１５の周囲のうち、発光部１５に対して主反射鏡１２が設けられた側とは反対側の部分を覆う。覆い部１３ａと発光部１５との間には、隙間が設けられている。覆い部１３ａは、副反射面１７を備える所望の形状に成形された基材の、副反射面１７となる部分に高反射性部材、例えば誘電体多層膜や金属部材を蒸着させることにより構成されている。高反射性部材は、可視領域の波長の光について高い反射率である部材を用いる。主反射面１２ａと副反射面１７とにより、光源装置１０からの光を利用する光学系へ、発光部１５から射出した光を効率良く進行させることが可能となる。
【００２３】
周囲部１３ｂは、覆い部１３ａに隣接して、覆い部１３ａと一体に形成されている。ベース１３は、周囲部１３ｂによって、主反射鏡１２の開口のうち光が進行する方向以外の開口を塞ぐ。これにより、ベース１３は、防爆カバーとしての機能を発揮する。
【００２４】
ベース１３は、発光管１１の封体１６よりも高い熱伝導率の材料で構成されている。上述のように、封体１６は石英等により構成されており、例えば、ベース１３をアルミニウム、銅、セラミックで構成して封体よりも高い熱伝導率とする。なお、ベース１３は、封体１６よりも高い熱伝導率の材料で構成されていればよく、例示した材料に限定されるものではない。また、ベース１３のうち、発光管１１側の面と反対側の面は凹凸面となっている。
【００２５】
このように、発光管１１の封体１６よりも高い熱伝導率の材料でベース１３が構成され、覆い部１３ａに隣接して周囲部１３ｂが一体に形成されているので、覆い部１３ａの熱は周囲部１３ｂに拡散しやすくなる。覆い部１３ａは、発光管１１で発生する熱によって温度が上昇するが、その熱は周囲部１３ｂに拡散する。すなわち、ベース１３は、発光管１１で発生した熱を放熱させて、発光管１１を冷却させるヒートシンクとして機能する。また、熱の拡散により覆い部１３ａの温度が低下することで、発光管１１のうち副反射面１７に覆われた部分を、覆い部１３ａからの輻射や対流により効率的に冷却することが可能となる。
【００２６】
また、ベース１３のうち、発光管１１側の面と反対側の面は凹凸面となっているので、平坦面となっている場合に比べて放熱面積が大きくなり、発光管１１の効率的な冷却が可能となる。発光管１１を冷却することで、発光管１１の劣化を低減できる。
【００２７】
なお、本実施例１では、ベース１３のうち、発光管１１側の面と反対側の面は、凹凸面とする場合に限られない。十分な放熱面積を有していれば平坦面であっても構わない。また、ベース１３は、主反射鏡１２の光の進行方向以外の開口を塞いで防爆機能を発揮しているが、主反射鏡１２の光の進行方向以外の開口よりも小さいサイズでベース１３を形成してもよい。この場合、主反射鏡１２とベース１３との間を塞ぐカバー部材等を設けて、ベース１３と他の部材とが協働して防爆機能を発揮するように構成してもよい。
【実施例２】
【００２８】
図４は、本発明の実施例２に係る光源装置２０の概略構成を示す。本実施例２に係る光源装置２０は、ベース１３を液冷ジャケットで冷却することを特徴とする。上記の実施例１と同一の部分には同一の符号を付し、重複する説明を省略する。ベース１３のうち発光管１１側の面と反対の面は平坦面となっている。これにより、後述する液冷ジャケットの取付けを容易にすることができる。液冷ジャケット２１は、ベース１３のうち発光管１１側の面と反対の面に取り付けられている。液冷ジャケット２１は、内部に液体を通過させる。液冷ジャケット２１の内部に通過させる液体として、例えば水、ハイドロフルオロエーテル、フッ素系不活性液体、プロピレングリコール、エチレングリコール等を用いる。液冷ジャケット２１は、内部を通過する液体にベース１３からの熱を吸熱させて、ベース１３を冷却する。
【００２９】
ポンプ２２、ラジエータ２３が、配管２４を介して液冷ジャケット２１と連結されている。ポンプ２２は、液冷ジャケット２１、ラジエータ２３、配管２４に液体を循環させるための動力源である。ラジエータ２３には、液冷ジャケット２１で熱を吸熱した液体が流入する。ラジエータ２３は、内部を通過する液体の熱を放熱させて、液体を冷却する。ラジエータ２３の近傍にはファン２５が設けられている。ファン２５は、ラジエータ２３に向けて送風し、空気を吹き付ける。ラジエータ２３に空気が吹き付けられることで、ラジエータ２３での液体からの放熱効率が向上する。ラジエータ２３で冷却された液体は、再度、液冷ジャケット２１に流入する。
【００３０】
このように、液冷ジャケット２１によってベース１３を強制的に冷却することができるので、覆い部１３ａからの輻射や対流による発光管１１の冷却効率を高めることができる。また、ベース１３は、覆い部１３ａの周囲に周囲部１３ｂが一体に形成されているので、周囲部１３ｂからも覆い部１３ａを冷却することができ、発光管１１の冷却をより効率的にすることができる。
【００３１】
図５は、本実施例２の変形例１に係る光源装置２０の概略構成を示す。上述した構成と同様の部分には同一の符号を付し、重複する説明を省略する。
【００３２】
本変形例１では、ベース１３のうち発光管１１側の面と反対の面にペルチェ素子２６が取り付けられている。ペルチェ素子２６は、電流を流すことで、一方の面と他方の面との間に温度差が生じる。本変形例１では、低温となる面がベース１３に接するように取り付けられている。したがって、図示しない電流供給手段によってペルチェ素子２６に電流を供給することで、ベース１３からの熱を吸熱し、ベース１３を冷却することができる。これにより、輻射や対流により発光管１１を冷却することができる。また、ベース１３は、覆い部１３ａの周囲に周囲部１３ｂが一体に形成されているので、周囲部１３ｂからも覆い部１３ａを冷却することができ、発光管１１の冷却をより効率的にすることができる。
【００３３】
ペルチェ素子２６のうち、高温となる面にはヒートシンク２７が取り付けられている。ペルチェ素子２６がベース１３から吸熱した熱を、ヒートシンク２７に吸熱させて、効率的に放熱することができる。ヒートシンク２７は、ペルチェ素子２６からの熱を放熱させる放熱手段として機能する。これにより、ペルチェ素子２６の冷却能力の低下を抑えて、発光管１１の安定的な冷却を実現することができる。
【００３４】
図６は、本実施例２の変形例２に係る光源装置２０の概略構成を示す。上述した構成と同様の部分には同一の符号を付し、重複する説明を省略する。本変形例２では、本実施例２の変形例１で説明した光源装置２０のヒートシンク２７に代えて、液冷ジャケット２１がペルチェ素子２６に取り付けられている。液冷ジャケット２１は、本実施例２と同様に、配管２４を介してポンプ２２、ラジエータ２３が連結されている。また、ラジエータ２３に空気を吹き付けるためのファン２５も設けられている。
【００３５】
このように、ペルチェ素子２６の高温となる面に、液冷ジャケット２１が取り付けられているので、ペルチェ素子２６がベース１３から吸熱した熱を強制的に放熱させることができる。液冷ジャケット２１は、ペルチェ素子２６からの熱を放熱させる放熱手段として機能する。これにより、ペルチェ素子２６の冷却能力の低下を一層抑えて、発光管１１のより一層の安定的な冷却を実現することができる。
【実施例３】
【００３６】
図７は、本発明の実施例３に係るプロジェクター１の概略構成を示す。プロジェクター１は、不図示のスクリーンへ光を投写し、スクリーンで反射する光を観察することで画像を鑑賞するフロント投写型のプロジェクターである。プロジェクター１は、上記実施例１に係る光源装置１０を有する。ここでは、光源装置１０は、図１に示す構成をＹ軸に沿った正の方向側から見た状態を示している。
【００３７】
光源装置１０は、赤色（Ｒ）光、緑色（Ｇ）光、青色（Ｂ）光を含む光を射出する。凹レンズ７８は、光源装置１０から射出した光を平行化させる。第１インテグレーターレンズ６１及び第２インテグレーターレンズ６２は、アレイ状に配列された複数のレンズ素子を有する。第１インテグレーターレンズ６１は、凹レンズ７８からの光束を複数に分割する。第１インテグレーターレンズ６１の各レンズ素子は、凹レンズ７８からの光束を第２インテグレーターレンズ６２のレンズ素子近傍にて集光させる。第２インテグレーターレンズ６２のレンズ素子は、第１インテグレーターレンズ６１のレンズ素子の像を空間光変調装置上に形成する。
【００３８】
２つのインテグレーターレンズ６１、６２を経た光は、偏光変換素子６３にて特定の振動方向の直線偏光に変換される。重畳レンズ６４は、第１インテグレーターレンズ６１の各レンズ素子の像を空間光変調装置上で重畳させる。第１インテグレーターレンズ６１、第２インテグレーターレンズ６２及び重畳レンズ６４は、光源装置１０からの光の強度分布を空間光変調装置上にて均一化させる。重畳レンズ６４からの光は、第１ダイクロイックミラー６５に入射する。第１ダイクロイックミラー６５は、Ｒ光を反射し、Ｇ光及びＢ光を透過させる。第１ダイクロイックミラー６５へ入射したＲ光は、第１ダイクロイックミラー６５、反射ミラー６６でそれぞれ光路が折り曲げられ、Ｒ光用フィールドレンズ６７Ｒへ入射する。Ｒ光用フィールドレンズ６７Ｒは、反射ミラー６６からのＲ光を平行化し、Ｒ光用空間光変調装置６８Ｒへ入射させる。
【００３９】
Ｒ光用空間光変調装置６８Ｒは、Ｒ光を画像信号に応じて変調する空間光変調装置であって、透過型液晶表示装置である。Ｒ光用空間光変調装置６８Ｒに設けられた不図示の液晶パネルは、２つの透明基板の間に、光を画像信号に応じて変調するための液晶層を封入している。Ｒ光用空間光変調装置６８Ｒで変調されたＲ光は、色合成光学系であるクロスダイクロイックプリズム６９へ入射する。
【００４０】
第１ダイクロイックミラー６５を透過したＧ光及びＢ光は、第２ダイクロイックミラー７０へ入射する。第２ダイクロイックミラー７０は、Ｇ光を反射し、Ｂ光を透過させる。第２ダイクロイックミラー７０へ入射したＧ光は、第２ダイクロイックミラー７０で光路が折り曲げられ、Ｇ光用フィールドレンズ６７Ｇへ入射する。Ｇ光用フィールドレンズ６７Ｇは、第２ダイクロイックミラー７０からのＧ光を平行化し、Ｇ光用空間光変調装置６８Ｇへ入射させる。Ｇ光用空間光変調装置６８Ｇは、Ｇ光を画像信号に応じて変調する空間光変調装置であって、透過型液晶表示装置である。Ｇ光用空間光変調装置６８Ｇで変調されたＧ光は、クロスダイクロイックプリズム６９のうちＲ光が入射する面とは異なる面へ入射する。
【００４１】
第２ダイクロイックミラー７０を透過したＢ光は、リレーレンズ７１を透過した後、反射ミラー７２での反射により光路が折り曲げられる。反射ミラー７２からのＢ光は、さらにリレーレンズ７３を透過した後、反射ミラー７４での反射により光路が折り曲げられ、Ｂ光用フィールドレンズ６７Ｂへ入射する。Ｒ光の光路及びＧ光の光路よりもＢ光の光路が長いことから、空間光変調装置における照明倍率を他の色光と等しくするために、Ｂ光の光路には、リレーレンズ７１、７３を用いるリレー光学系が採用されている。
【００４２】
Ｂ光用フィールドレンズ６７Ｂは、反射ミラー７４からのＢ光を平行化し、Ｂ光用空間光変調装置６８Ｂへ入射させる。Ｂ光用空間光変調装置６８Ｂは、Ｂ光を画像信号に応じて変調する空間光変調装置であって、透過型液晶表示装置である。Ｂ光用空間光変調装置６８Ｂで変調されたＢ光は、クロスダイクロイックプリズム６９のうちＲ光が入射する面、Ｇ光が入射する面とは異なる面へ入射する。
【００４３】
クロスダイクロイックプリズム６９は、互いに略直交する２つのダイクロイック膜７５、７６を有する。第１ダイクロイック膜７５は、Ｒ光を反射し、Ｇ光及びＢ光を透過させる。第２ダイクロイック膜７６は、Ｂ光を反射し、Ｒ光及びＧ光を透過させる。クロスダイクロイックプリズム６９は、それぞれ異なる方向から入射したＲ光、Ｇ光及びＢ光を合成し、投写レンズ７７の方向へ射出する。投写レンズ７７は、クロスダイクロイックプリズム６９で合成された光をスクリーンの方向へ投写する。
【００４４】
プロジェクター１は、上記の光源装置１０を用いることで、発光管１１（図１参照）を効率的に冷却して、発光管１１の劣化を低減できる。これにより、信頼性の高いプロジェクター１を得られるという効果を奏する。また、プロジェクター１が、正立状態および倒立状態での使用が可能とされ、その使用状態によって光源装置１０の姿勢が変化する場合であっても、ベース１３を介して発光管１１を効率的に冷却できるので、プロジェクター１の使用状態にかかわらず、発光管１１の劣化を低減できる。なお、プロジェクター１は、上記実施例のいずれの光源装置を用いても良い。
【００４５】
プロジェクター１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター１は、色光ごとに空間光変調装置を備える構成に限られない。プロジェクター１は、一の空間光変調装置により２つ又は３つ以上の色光を変調する構成としても良い。プロジェクター１は、空間光変調装置を用いる場合に限られない。プロジェクター１は、画像情報を持たせたスライドを用いるスライドプロジェクタであっても良い。プロジェクター１は、スクリーンの一方の面に光を供給し、スクリーンの他方の面から射出される光を観察することで画像を鑑賞する、いわゆるリアプロジェクタであっても良い。
【産業上の利用可能性】
【００４６】
以上のように、本発明に係る光源装置は、プロジェクターに用いる場合に適している。
【符号の説明】
【００４７】
１  プロジェクター、１０，２０  光源装置、１１  発光管、１２  主反射鏡、１２ａ  主反射面、１３  ベース、１３ａ  覆い部、１３ｂ  周囲部、１５  発光部、１６  封体、１６ａ  前方封止部、１６ｂ  後方封止部、１７  副反射面、２１  液冷ジャケット、２２  ポンプ、２３  ラジエータ、２４  配管、２５  ファン、２６  ペルチェ素子、２７  ヒートシンク
【図１】
2010192282.tif 000003
【図２】
2010192282.tif 000004
【図３】
2010192282.tif 000005
【図４】
2010192282.tif 000006
【図５】
2010192282.tif 000007
【図６】
2010192282.tif 000008
【図７】
2010192282.tif 000009